(57)【特許請求の範囲】
【請求項１】
解析装置と、音響装置と、を含む音場制御システムであって、
前記解析装置は、
前記音響装置の複数のスピーカーに順次テスト音を発音させるためのテスト信号列を記憶する第１記憶部と、
前記複数のスピーカーにより発音された前記テスト音を収音する収音部と、
前記第１記憶部に記憶された前記テスト信号列の発音タイミングを示す情報と、収音された各テスト音の収音タイミングと、を比較し、各テスト音の発音タイミングと収音タイミングの時間差を算出する解析部と、
算出された各テスト音の発音タイミングと収音タイミングの時間差に基づいて、前記複数のスピーカーに供給する音声信号の遅延処理に用いる調整情報を生成し、生成した前記調整情報を前記音響装置に送信する調整情報送信部と、を備え、
前記音響装置は、
前記第１記憶部に記憶されている前記テスト信号列と同じテスト信号列を記憶する第２記憶部と、
前記第２記憶部に記憶された前記テスト信号列に基づいて、前記複数のスピーカーに順次前記テスト音を発音させる発音部と、
前記解析装置から送信された前記調整情報に基づいて、前記複数のスピーカーに供給する音声信号の遅延処理を行う信号処理部と、を備えることを特徴とする音場制御システム。
【請求項２】
解析装置と、音響装置と、を含む音場制御システムであって、
前記解析装置は、
前記音響装置の複数のスピーカーに順次テスト音を発音させるためのテスト信号列を記憶するテスト信号記憶部と、
前記テスト信号列を前記音響装置に送信する発音指令部と、
前記複数のスピーカーにより発音された前記テスト音を収音する収音部と、
前記テスト信号列の発音タイミングを示す情報と、収音された各テスト音の収音タイミングと、を比較し、各テスト音の発音タイミングと収音タイミングの時間差を算出する解析部と、
算出された各テスト音の発音タイミングと収音タイミングの時間差に基づいて、前記複数のスピーカーに供給する音声信号の遅延処理に用いる調整情報を生成し、生成した前記調整情報を前記音響装置に送信する調整情報送信部と、を備え、
前記音響装置は、
前記解析装置から送信された前記テスト信号列に基づいて、前記複数のスピーカーに順次前記テスト音を発音させる発音部と、
前記解析装置から送信された前記調整情報に基づいて、前記複数のスピーカーに供給する音声信号の遅延処理を行う信号処理部と、を備え、
前記発音部は、前記テスト音を、発音するスピーカーの特性に応じた発音間隔で発音させることを特徴とする音場制御システム。
【請求項３】
前記解析部は、前記テスト信号列に基づいてｎ番目（但し、ｎはｎ≧１となる整数）に発音されるテスト音とｍ番目（但し、ｍはｍ≧ｎ＋１となる整数）に発音されるテスト音との発音間隔と、前記収音部の収音結果から得られる前記ｎ番目に発音されたテスト音と前記ｍ番目に発音されたテスト音との収音間隔と、の時間差を算出することを特徴とする請求項１または２に記載の音場制御システム。
【請求項４】
前記テスト信号列は、前記テスト音を一定の間隔で発音させる信号列であることを特徴とする請求項１に記載の音場制御システム。
【請求項５】
前記解析部は、前記テスト信号列に基づいてｎ番目（但し、ｎはｎ≧１となる整数）に発音されたテスト音の収音タイミングから所定時間遡った時点を基準とし、前記一定の間隔ごとに分割区間を設定したときの各分割区間の開始点から各テスト音の収音タイミングまでの時間長と、前記所定時間との時間差を算出することを特徴とする請求項４に記載の音場制御システム。
【請求項６】
前記発音部は、前記テスト音を、発音するスピーカーの特性に応じた発音間隔で発音させることを特徴とする請求項１に記載の音場制御システム。
【請求項７】
前記解析装置と前記音響装置は、無線通信を介して接続されることを特徴とする請求項１または２に記載の音場制御システム。
【請求項８】
前記解析装置は、
１回の無線通信により、前記音響装置に対し前記テスト信号列の発音指令を行う発音指令部を備えることを特徴とする請求項１に記載の音場制御システム。
【請求項９】
前記発音指令部は、１回の無線通信により、前記テスト信号列を前記音響装置に送信することを特徴とする請求項２に記載の音場制御システム。
【請求項１０】
解析装置と、音響装置と、を含む音場制御システムであって、
前記解析装置は、
前記音響装置の複数のスピーカーに順次テスト音を発音させるためのテスト信号列を記憶する第１記憶部と、
マイクロフォンにより、前記複数のスピーカーにより発音された前記テスト音を収音する収音部と、
前記第１記憶部に記憶された前記テスト信号列の発音タイミングを示す情報と、収音された各テスト音の収音タイミングと、を比較し、各テスト音の発音タイミングと収音タイミングの時間差を算出する解析部と、
算出された各テスト音の発音タイミングと収音タイミングの時間差に基づいて、前記複数のスピーカーから前記マイクロフォンまでの距離を一致させる命令である音場制御情報を生成し、生成した前記音場制御情報を出力する音場制御情報出力部と、を備え、
前記音響装置は、
前記第１記憶部に記憶されている前記テスト信号列と同じテスト信号列を記憶する第２記憶部と、
前記第２記憶部に記憶された前記テスト信号列に基づいて、前記複数のスピーカーに順次前記テスト音を発音させる発音部と、を備えることを特徴とする音場制御システム。
【請求項１１】
音響装置が複数のスピーカーに順次テスト音を発音させるために前記音響装置内に記憶しているテスト信号列と同じテスト信号列を記憶する第１記憶部と、
マイクロフォンにより、前記音響装置が発音した前記テスト音を収音する収音部と、
前記第１記憶部に記憶された前記テスト信号列の発音タイミングを示す情報と、収音された各テスト音の収音タイミングと、を比較し、各テスト音の発音タイミングと収音タイミングの時間差を算出する解析部と、
算出された各テスト音の発音タイミングと収音タイミングの時間差に基づいて、前記複数のスピーカーに供給する音声信号の遅延処理に用いる調整情報または前記複数のスピーカーから前記マイクロフォンまでの距離を一致させる命令である音場制御情報を生成する情報生成部と、を備えることを特徴とする解析装置。
【請求項１２】
解析装置が、
音響装置の複数のスピーカーに順次テスト音を発音させるためのテスト信号列を記憶した第１記憶部を備え、
前記複数のスピーカーにより発音された前記テスト音を収音する収音ステップと、
前記第１記憶部に記憶された前記テスト信号列の発音タイミングを示す情報と、収音された各テスト音の収音タイミングと、を比較し、各テスト音の発音タイミングと収音タイミングの時間差を算出する解析ステップと、
算出された各テスト音の発音タイミングと収音タイミングの時間差に基づいて、前記複数のスピーカーに供給する音声信号の遅延処理に用いる調整情報を生成し、生成した前記調整情報を前記音響装置に送信する調整情報送信ステップと、を実行し、
前記音響装置が、
前記第１記憶部に記憶されている前記テスト信号列と同じテスト信号列を記憶した第２記憶部を備え、
前記第２記憶部に記憶された前記テスト信号列に基づいて、前記複数のスピーカーに順次前記テスト音を発音させる発音ステップと、
前記解析装置から送信された前記調整情報に基づいて、前記複数のスピーカーに供給する音声信号の遅延処理を行う信号処理ステップと、を実行することを特徴とする音場制御システムの制御方法。
【請求項１３】
音響装置が複数のスピーカーに順次テスト音を発音させるために前記音響装置内に記憶しているテスト信号列と同じテスト信号列を第１記憶部に記憶した解析装置が、
マイクロフォンにより、前記音響装置が発音した前記テスト音を収音する収音ステップと、
前記第１記憶部に記憶された前記テスト信号列の発音タイミングを示す情報と、収音された各テスト音の収音タイミングと、を比較し、各テスト音の発音タイミングと収音タイミングの時間差を算出する解析ステップと、
算出された各テスト音の発音タイミングと収音タイミングの時間差に基づいて、前記複数のスピーカーに供給する音声信号の遅延処理に用いる調整情報または前記複数のスピーカーから前記マイクロフォンまでの距離を一致させる命令である音場制御情報を生成する情報生成ステップと、を実行することを特徴とする解析装置の制御方法。
【請求項１４】
コンピューターに、請求項１２に記載の音場制御システムの制御方法における前記収音ステップ、前記解析ステップおよび前記調整情報送信ステップを実行させるプログラム。
【請求項１５】
コンピューターに、請求項１３に記載の解析装置の制御方法における各ステップを実行させるプログラム。
【請求項１６】
請求項１４または１５に記載のプログラムを記録したコンピューター読み取り可能な記録媒体。
【請求項１７】
複数のスピーカーに、テスト音を発音させる発音部と、
マイクロフォンにより、前記テスト音を収音する収音部と、
前記テスト音を一定の間隔で順次前記複数のスピーカーから発音させるテスト信号列の発音タイミングを示す情報と、収音された各テスト音の収音タイミングと、を比較し、各テスト音の発音タイミングと収音タイミングの時間差を算出する解析部と、
算出された各テスト音の発音タイミングと収音タイミングの時間差に基づいて、前記複数のスピーカーに供給する音声信号の遅延処理を行う信号処理部と、を備え、
前記解析部は、前記テスト信号列に基づいてｎ番目（但し、ｎはｎ≧１となる整数）に発音されたテスト音の収音タイミングから所定時間遡った時点を基準とし、前記一定の間隔ごとに分割区間を設定したときの各分割区間の開始点から各テスト音の収音タイミングまでの時間長と、前記所定時間との時間差を算出することを特徴とする音場制御システム。
【発明の詳細な説明】
【技術分野】
【０００１】
本発明は、マルチチャンネルスピーカーを有する音響装置の音場制御を行う音場制御システム、解析装置、音響装置、音場制御システムの制御方法、解析装置の制御方法、音響装置の制御方法、プログラム、記録媒体に関する。
【背景技術】
【０００２】
従来、この種の技術として特許文献１が知られている。特許文献１には、音響装置（音響調整装置）と、解析装置（音響解析装置）と、が接続され、音響装置は、テスト信号を発生する手段と、各スピーカーから発音されるテスト信号に応じたテスト音をマイクロフォンにより収音した収音信号を入力する手段と、テスト信号および収音信号を解析装置に提供する手段と、を備え、解析装置は、提供されたテスト信号および収音信号に基づいて音響解析を行い、音響装置に提供する調整情報（各スピーカーからマイクロフォンまでの距離のばらつきによる音の遅延を解消するために、音声信号の遅延処理を行うための情報）を生成する手段と、生成した調整情報を音響装置に提供する手段と、を備えた自動音響調整システムが開示されている。このように特許文献１は、解析装置により調整情報を生成するため、音響装置に制御負荷をかけることなく音場制御（テスト信号の測定および音声信号の遅延処理）を実現できるといった効果を奏する。
【先行技術文献】
【特許文献】
【０００３】
【特許文献１】特開２００４−１５９０３７号公報
【発明の概要】
【発明が解決しようとする課題】
【０００４】
ところが、特許文献１の構成では、音響装置にマイクロフォンを付属する必要がある。そこで、簡易な構成で音場制御を行うべく、付属のマイクロフォンに代えてスマートフォン（スマートフォンに搭載されたマイクロフォン）を用いることが考えられる。これにより、マイクロフォンの有線ケーブルを取り回す煩雑さを解消し、且つ音響装置の低廉化を図ることができる。しかしながら、スマートフォンを用いてテスト音の発音指令および収音を行う場合、付属のマイクロフォンを用いた従来の音場制御アルゴリズムを採用することができない。
【０００５】
従来の音場制御アルゴリズムでは、音響装置によるテスト音の発音指令から発音までの時間が既知であることが前提で、スピーカーからマイクロフォンまでの距離を測定している。つまり、発音指令から収音までの経過時間Ｔａを測定し、発音指令から発音までの時間Ｔｂを差し引くことで、スピーカーによる発音からマイクロフォンによる収音までの時間（Ｔａ−Ｔｂ）を算出する。そして、算出した発音から収音までの時間（Ｔａ−Ｔｂ）に音速を乗じることで、スピーカーからマイクロフォンまでの距離を求めている。
【０００６】
一方、スマートフォンから発音指令を行う場合、発音する装置と発音指令を行う装置とが異なる。また、スマートフォンから無線通信によって発音指令を行う場合、発音指令から発音までの時間に通信によるずれが生じてしまうため、発音指令から発音までの時間Ｔｂを正しく測定できない。このため、スマートフォンを用いた場合（テスト音の発音指令から発音までの時間が未知の場合）、正確な音場制御を行うことができないといった問題があった。
【０００７】
本発明は、上記の問題点に鑑み、テスト音の発音指令から発音までの時間が未知の場合でも、正確な音場制御を行うことが可能な音場制御システム、解析装置、音響装置、音場制御システムの制御方法、解析装置の制御方法、音響装置の制御方法、プログラム、記録媒体を提供することを目的とする。
【課題を解決するための手段】
【０００８】
本発明の音場制御システムは、複数のスピーカーに、テスト音を発音させる発音部と、マイクロフォンにより、テスト音を収音する収音部と、テスト音を予め定められたタイミングで順次各スピーカーから発音させるテスト信号列の発音タイミングを示す情報と、収音された各テスト音の収音タイミングと、を比較し、各テスト音の発音タイミングと収音タイミングの時間差を算出する解析部と、算出された各テスト音の発音タイミングと収音タイミングの時間差に基づいて、各スピーカーに供給する音声信号の遅延処理を行う信号処理部と、を備えることを特徴とする。
【０００９】
本発明の解析装置は、複数のスピーカーに、テスト音を発音させる指令である発音指令を行う発音指令部と、マイクロフォンにより、テスト音を収音する収音部と、テスト音を予め定められたタイミングで順次各スピーカーから発音させるテスト信号列の発音タイミングを示す情報と、収音された各テスト音の収音タイミングと、を比較し、各テスト音の発音タイミングと収音タイミングの時間差を算出する解析部と、算出された各テスト音の発音タイミングと収音タイミングの時間差に基づいて、各スピーカーに供給する音声信号の遅延処理に用いる調整情報または各スピーカーからマイクロフォンまでの距離を一致させる命令である音場制御情報を生成する情報生成部と、を備えることを特徴とする。
【００１０】
本発明の音響装置は、複数のスピーカーに、テスト音を発音させる発音部と、マイクロフォンを備えた外部装置から、マイクロフォンにより収音した各テスト音の収音タイミングを示す収音情報を受信する収音情報受信部と、テスト音を予め定められたタイミングで順次各スピーカーから発音させるテスト信号列の発音タイミングを示す情報と、収音情報から得られる各テスト音の収音タイミングと、を比較し、各テスト音の発音タイミングと収音タイミングの時間差を算出する解析部と、算出された各テスト音の発音タイミングと収音タイミングの時間差に基づいて、各スピーカーに供給する音声信号の遅延処理を行う信号処理部と、を備えることを特徴とする。
【００１１】
本発明の音場制御システムの制御方法は、複数のスピーカーに、テスト音を発音させる発音ステップと、マイクロフォンにより、テスト音を収音する収音ステップと、テスト音を予め定められたタイミングで順次各スピーカーから発音させるテスト信号列の発音タイミングを示す情報と、収音された各テスト音の収音タイミングと、を比較し、各テスト音の発音タイミングと収音タイミングの時間差を算出する解析ステップと、算出された各テスト音の発音タイミングと収音タイミングの時間差に基づいて、各スピーカーに供給する音声信号の遅延処理を行う信号処理ステップと、を実行することを特徴とする。
【００１２】
本発明の解析装置の制御方法は、複数のスピーカーに、テスト音を発音させる指令である発音指令を行う発音指令ステップと、マイクロフォンにより、テスト音を収音する収音ステップと、テスト音を予め定められたタイミングで順次各スピーカーから発音させるテスト信号列の発音タイミングを示す情報と、収音された各テスト音の収音タイミングと、を比較し、各テスト音の発音タイミングと収音タイミングの時間差を算出する解析ステップと、算出された各テスト音の発音タイミングと収音タイミングの時間差に基づいて、各スピーカーに供給する音声信号の遅延処理に用いる調整情報または各スピーカーからマイクロフォンまでの距離を一致させる命令である音場制御情報を生成する情報生成ステップと、を実行することを特徴とする。
【００１３】
本発明の音響装置の制御方法は、複数のスピーカーに、テスト音を発音させる発音ステップと、マイクロフォンを備えた外部装置から、マイクロフォンにより収音した各テスト音の収音タイミングを示す収音情報を受信する収音情報受信ステップと、テスト音を予め定められたタイミングで順次各スピーカーから発音させるテスト信号列の発音タイミングを示す情報と、収音情報から得られる各テスト音の収音タイミングと、を比較し、各テスト音の発音タイミングと収音タイミングの時間差を算出する解析ステップと、算出された各テスト音の発音タイミングと収音タイミングの時間差に基づいて、各スピーカーに供給する音声信号の遅延処理を行う信号処理ステップと、を実行することを特徴とする。
【００１４】
本発明の構成によれば、テスト信号列の発音タイミングを示す情報と、各テスト音の収音タイミングと、を比較して、各テスト音の発音タイミングと収音タイミングの時間差を算出し、当該時間差に基づいて各スピーカーに供給する音声信号の遅延処理を行うため、テスト音の発音指令から発音までの時間が未知の場合でも、正確な音場制御を行うことができる。つまり、各テスト音の発音指令から収音までの経過時間を計測する必要がないため、一般的なスマートフォンを用いた音場制御を実現できる。
なお、「タイミング」とは、期間設定ではなく時期設定を指す。例えば、「テスト信号列の発音タイミングを示す情報」は、テスト信号列によって規定される各テスト音の発音時期を示す情報を指す。なお、「発音タイミング」は、テスト音間の発音間隔で規定しても良いし、拍子やリズムおよびその時間長などによって規定しても良い。また、「各テスト音の収音タイミング」とは、各テスト音の収音時期を指す。なお、「収音タイミング」は、収音時刻で規定しても良い。
また、「複数のスピーカー」は、２個のスピーカーでも良いが、３個以上であることが好ましい。
【００１５】
上記の音場制御システムにおいて、解析部は、テスト信号列に基づいてｎ番目（但し、ｎはｎ≧１となる整数）に発音されるテスト音とｍ番目（但し、ｍはｍ≧ｎ＋１となる整数）に発音されるテスト音との発音間隔と、収音部の収音結果から得られるｎ番目に発音されたテスト音とｍ番目に発音されたテスト音との収音間隔と、の時間差を算出することを特徴とする。
【００１６】
本発明の構成によれば、発音間隔と収音間隔との時間差を算出することで、各スピーカーからマイクロフォンまでの距離差を算出することができ、当該距離差に基づいて、正確な音場制御を行うことができる。
【００１７】
上記の音場制御システムにおいて、テスト信号列は、テスト音を一定の間隔で発音させる信号列であることを特徴とする。
【００１８】
本発明の構成によれば、発音間隔が一定であるため、単純な演算処理で正確な音場制御を行うことができる。
【００１９】
上記の音場制御システムにおいて、解析部は、テスト信号列に基づいてｎ番目（但し、ｎはｎ≧１となる整数）に発音されたテスト音の収音タイミングから所定時間遡った時点を基準とし、一定の間隔ごとに分割区間を設定したときの各分割区間の開始点から各テスト音の収音タイミングまでの時間長と、所定時間との時間差を算出することを特徴とする。
【００２０】
本発明は、ｎ番目のテスト音の収音タイミングから所定時間遡った時点を基準とし、各分割区間の中で時間差を算出する。これにより、小さいワークエリアでも支障なく演算処理を行うことができる。また、ｎ番目のテスト音に対応するスピーカー（チャンネル）を基準として時間差を算出するため、他のスピーカーに対する遅延量の算出が容易である。
【００２１】
上記の音場制御システムにおいて、発音部は、テスト音を、発音するスピーカーの特性に応じた発音間隔で発音させることを特徴とする。
【００２２】
本発明の構成によれば、残響の多い音を発音するスピーカーの場合は、次のテスト音の発音タイミングまでの間隔を広くすることで、次のテスト音の収音タイミングを正確に検出することができる。これにより、より正確な音場制御を実現できる。
【００２３】
上記の音場制御システムにおいて、収音部および解析部を有する解析装置と、発音部および信号処理部を有する音響装置と、から成り、解析装置と音響装置は、無線通信を介して接続されることを特徴とする。
【００２４】
本発明の構成によれば、解析装置と音響装置が無線通信を介して接続されるため、有線ケーブルを取り回す煩雑さを解消できる。
【００２５】
上記の音場制御システムにおいて、解析装置は、音響装置の発音部に対して発音指令を行う発音指令部を備え、発音指令部は、１回の無線通信により、テスト信号列の発音指令を行うことを特徴とする。
【００２６】
本発明の構成によれば、１回の無線通信によりテスト信号列の発音指令を行うため、通信環境が安定していない場合でも、正確な音場制御を実現できる。つまり、テスト音（テスト信号）ごとに発音指令を行った場合であって通信環境が不安定な場合、発音指令から発音までの時間が一定とならないため、各スピーカーからマイクロフォンまでの距離差を正確に算出することができないが、１回の無線通信により全テスト音の発音指令を行うことで、そのような不具合を解消できる。
【００２７】
本発明の音場制御システムは、スピーカーに、テスト音を発音させる発音部と、マイクロフォンにより、テスト音を収音する収音部と、テスト音を予め定められたタイミングで順次各スピーカーから発音させるテスト信号列の発音タイミングを示す情報と、収音された各テスト音の収音タイミングと、を比較し、各テスト音の発音タイミングと収音タイミングの時間差を算出する解析部と、算出された各テスト音の発音タイミングと収音タイミングの時間差に基づいて、各スピーカーからマイクロフォンまでの距離を一致させる命令である音場制御情報を生成する音場制御情報生成部と、音場制御情報を出力する音場制御情報出力部と、を備えることを特徴とする。
【００２８】
本発明の音場制御システムの制御方法は、複数のスピーカーに、テスト音を発音させる発音ステップと、マイクロフォンにより、テスト音を収音する収音ステップと、テスト音を予め定められたタイミングで順次各スピーカーから発音させるテスト信号列の発音タイミングを示す情報と、収音された各テスト音の収音タイミングと、を比較し、各テスト音の発音タイミングと収音タイミングの時間差を算出する解析ステップと、算出された各テスト音の発音タイミングと収音タイミングの時間差に基づいて、各スピーカーからマイクロフォンまでの距離を一致させるための音場制御情報を生成する音場制御情報生成ステップと、音場制御情報を出力する音場制御情報出力ステップと、を実行することを特徴とする。
【００２９】
本発明の構成によれば、テスト音の発音指令から発音までの時間が未知の場合でも、正確な音場制御を行うことができる。
なお、「音場制御情報」とは、スピーカーや人などに対する命令であり、制御対象となるスピーカー名、並びにその移動量や移動方向などの情報を指す。
また、「音場制御情報出力部」とは、表示、音声ガイダンス、通信などの手段を指す。
【００３０】
本発明のプログラムは、コンピューターに、上記の音場制御システムの制御方法における収音ステップおよび解析ステップを実行させることを特徴とする。
【００３１】
本発明のプログラムは、コンピューターに、上記の音場制御システムの制御方法における収音ステップ、解析ステップ、音場制御情報生成ステップおよび音場制御情報出力ステップを実行させることを特徴とする。
【００３２】
本発明のプログラムは、コンピューターに、上記の解析装置の制御方法における各ステップを実行させることを特徴とする。
【００３３】
本発明のプログラムは、コンピューターに、上記の音響装置の制御方法における各ステップを実行させることを特徴とする。
【００３４】
本発明の記録媒体は、上記のプログラムを記録し、コンピューター読み取り可能であることを特徴とする。
【００３５】
本発明のプログラムまたは記録媒体を用いることにより、テスト音の発音指令から発音までの時間が未知の場合でも、正確な音場制御を行うことができる。
【図面の簡単な説明】
【００３６】
【図１】音場制御システムのシステム構成図である。
【図２】音場制御システムのハードウェア構成を示す制御ブロック図である。
【図３】第１実施形態に係るスマートフォンおよびＡＶアンプ装置の機能構成を示す機能ブロック図である。
【図４】第１実施形態に係るテスト信号列の一例を示す図である。
【図５】テスト音列を録音した録音波形の一例を示す図である。
【図６】テスト音の発音間隔と収音間隔との時間差を示す説明図である。
【図７】スマートフォンの処理の流れを示すフローチャートである。
【図８】変形例１に係るテスト信号列の一例を示す図である。
【図９】変形例６に係るテスト音の収音タイミングを示す説明図である。
【図１０】第２実施形態に係るスマートフォンおよびＡＶアンプ装置の機能構成を示す機能ブロック図である。
【発明を実施するための形態】
【００３７】
［第１実施形態］
以下、本発明の一実施形態に係る音場制御システム、解析装置、音響装置、音場制御システムの制御方法、解析装置の制御方法、音響装置の制御方法、プログラム、記録媒体について、添付図面を参照しながら詳細に説明する。図１は、音場制御システムＳＹのシステム構成図である。音場制御システムＳＹは、スマートフォン１（解析装置，外部装置）と、ＡＶアンプ装置２と、スピーカー群３（３ａ〜３ｆ）を備える。請求項における「音響装置」は、ＡＶアンプ装置２およびスピーカー群３を指す。
【００３８】
なお、スマートフォン１とＡＶアンプ装置２は、Bluetooth（登録商標）や無線ＬＡＮ（Local  Area  Network）等の無線通信５を介して接続される。また、ＡＶアンプ装置２と各スピーカー３ａ〜３ｆは、専用ケーブル等の有線通信４を介して接続される。
【００３９】
また、本実施形態のスピーカー群３は、５．１チャンネルに対応し、フロントレフトスピーカー３ａ（Ｌ）、フロントセンタースピーカー３ｂ（Ｃ）、フロントライトスピーカー３ｃ（Ｒ）、サラウンドライトスピーカー３ｄ（ＳＲ）、サラウンドレフトスピーカー３ｅ（ＳＬ）およびサブウーファー３ｆ（ＳＷ）を含む。
【００４０】
なお、図１に示した例に限らず、スピーカー群３を構成するスピーカー数およびスピーカー種類は任意である。また、ＡＶアンプ装置２と各スピーカー３ａ〜３ｆを、無線通信を介して接続しても良い。さらに、スマートフォン１に代えて、他のタブレット端末、携帯電話、ノート型ＰＣ等の情報処理端末を用いても良い。この場合、情報処理端末の通信規格に応じて、ＡＶアンプ装置２と有線通信を介して接続しても良い。
【００４１】
次に、図２を参照し、音場制御システムＳＹのハードウェア構成について説明する。スマートフォン１は、タッチパネル１１、マイクロフォン１２、通信部１３、記憶部１４および制御部１５を備える。タッチパネル１１は、操作手段および表示手段として機能する。マイクロフォン１２は、音を収音（音声信号を入力）する。通信部１３は、ＡＶアンプ装置２と情報の送受信を行う。記憶部１４は、ＯＳ（Operating  System）をはじめ、各種スマートフォン用アプリケーションを不揮発に記憶する。スマートフォン用アプリケーションとしては、ＡＶアンプ装置２の音場制御を行うための音場制御アプリケーションを含む。なお、「音場制御」とは、各スピーカー３ａ〜３ｆから聴取位置（スマートフォン１の位置）までの距離のばらつきによる音の遅延を解消するために、各スピーカー３ａ〜３ｆからテスト音を発音してこれを測定し、当該測定結果に基づいて各スピーカー３ａ〜３ｆに供給する音声信号の遅延処理を行うことを指す。制御部１５は、ＣＰＵ（Central  Processing  Unit）やＲＡＭ（Random  Access  Memory）等により構成され、音場制御など各種演算処理を行う。
【００４２】
一方、ＡＶアンプ装置２は、通信部２１、ＤＳＰ２２（Digital  Signal  Processor）、アンプ群２３および制御部２４を備える。通信部２１は、スマートフォン１と情報の送受信を行う。ＤＳＰ２２は、音声信号の遅延処理など各種デジタル信号処理を行う。アンプ群２３は、各チャンネルに対応した複数のアンプを含む（図示省略）。各アンプは、各チャンネルの音声信号をそれぞれ増幅し、対応する各スピーカー３ａ〜３ｆに供給する。制御部２４は、ＣＰＵやＲＡＭ等により構成され、再生制御など各種演算処理を行う。一方、スピーカー群３は、音を発音（音声信号を出力）する。
【００４３】
次に、図３を参照し、スマートフォン１およびＡＶアンプ装置２の機能構成について説明する。スマートフォン１は、機能構成として、テスト信号記憶部１１０、発音指令部１２０、収音部１３０、録音部１４０、解析部１５０、調整情報生成部１６０（情報生成部）および調整情報送信部１７０を備える。また、ＡＶアンプ装置２は、機能構成として、発音部２１０、調整情報受信部２２０および信号処理部２３０を備える。なお、スマートフォン１の各部１１０〜１７０は、主に上記の音場制御アプリケーションによって実現される。
【００４４】
スマートフォン１のテスト信号記憶部１１０は、音場制御を行う際に用いるテスト信号列を記憶する。本実施形態のテスト信号列は、テスト音を各スピーカー３ａ〜３ｆから予め定められたタイミングで（予め定められた時期設定で）順次発音させるものである。ＡＶアンプ装置２の発音部２１０は、当該テスト信号列に基づいて、接続されたスピーカー数に対応した数のテスト音を、予め定められた発音間隔且つ予め定められた順序でスピーカー群３に発音させる（発音ステップ）。発音部２１０は、ＤＳＰ２２および制御部２４を主要部とする。
【００４５】
図４は、テスト信号列の一例を示す図である。同図に示すように、本実施形態では、フロントレフト（Ｌ）、フロントセンター（Ｃ）、フロントライト（Ｒ）、サラウンドライト（ＳＲ）、サラウンドレフト（ＳＬ）、サブウーファー３ｆ（ＳＷ）の順に、各スピーカー３ａ〜３ｆからテスト信号を発音させる。また、本実施形態では、テスト音の発音間隔を一定時間Ｔ（等間隔）とする。また、発音部２１０は、テスト信号列に基づくテスト音列を予め定められた繰り返し数だけ繰り返して発音させる。なお、テスト音としては、インパルス信号など、信号レベルが急変する信号を用いることが好ましい。
【００４６】
一方、テスト信号記憶部１１０は、ＡＶアンプ装置２の機種別またはスピーカー構成（チャンネル数）別にテスト信号列を記憶する。後述する発音指令部１２０は、接続先となるＡＶアンプ装置２に適したテスト信号列を用いて発音指令を行う（発音指令ステップ）。つまり、ＡＶアンプ装置２との接続確立時に機種またはスピーカー構成を判定し、当該判定結果に応じて使用するテスト信号列を決定する。なお、使用するテスト信号列は、ユーザーにより機種またはスピーカー構成が選択されることにより決定する構成でも良い。
【００４７】
スマートフォン１の発音指令部１２０は、ＡＶアンプ装置２に対しテスト信号の発音指令を行う。本実施形態では、テスト信号（テスト音）ごとに発音指令を行うのではなく、１回の無線通信によりテスト信号列（テスト音列）の発音指令を行う。ＡＶアンプ装置２の発音部２１０は、当該発音指令部１２０による発音指令にしたがって、スピーカー群３にテスト音列を発音させる。
【００４８】
スマートフォン１の収音部１３０は、マイクロフォン１２によりテスト音列を収音する（収音ステップ）。収音部１３０は、記憶部１４（音場制御アプリケーション）および制御部２４を主要部とする。また、スマートフォン１の録音部１４０は、収音部１３０により収音されたテスト音列を録音する。図５は、録音部１４０により録音された録音波形の一例を示す図である。同図は、図４に示したテスト信号列に基づくテスト音列を録音した波形を示している。
【００４９】
スマートフォン１の解析部１５０は、発音指令部１２０により発音指令されたテスト信号列の発音タイミングを示す情報と、収音部１３０により収音された各テスト音の収音タイミングと、を比較し、各テスト音の発音タイミングと収音タイミングとの時間差を算出する（解析ステップ）。具体的には、テスト信号列に基づいてｎ番目（但し、ｎはｎ≧１となる整数）に発音されるテスト音とｎ＋１番目に発音されるテスト音との発音間隔（Ｔ）と、収音部１３０の収音結果から得られるｎ番目に発音されたテスト音とｎ＋１番目に発音されたテスト音との収音間隔（Ｔ＋ΔＴｎ）と、の時間差（ΔＴｎ）を算出する。
【００５０】
なお、「テスト信号列の発音タイミングを示す情報」とは、テスト信号列の発音時期を規定する情報であり、本実施形態では、テスト信号列の発音間隔によって規定される。また、「収音タイミング」とは、音圧（録音波形の振幅）が、所定の閾値を超えた時点を指す。この収音タイミングを正確に検出するため、収音信号を二乗する信号二乗回路と、当該信号二乗回路の出力が入力される平滑回路と、当該平滑回路の出力が入力される微分処理部とを設け（いずれも図示省略）、当該微分処理部により微分した値が最大値または最小値となる時刻を収音タイミングとして検出しても良い。
【００５１】
図６は、テスト音の発音間隔と収音間隔との時間差を示す説明図である。同図は、フロントレフトスピーカー３ａ（Ｌ）から発音されたテスト音（１番目のテスト音）の収音タイミングがｔ１、フロントセンタースピーカー３ｂ（Ｃ）から発音されたテスト音（２番目のテスト音）の収音タイミングがｔ２であること、また、ｔ１からｔ２の経過時間は、テスト音の発音間隔ＴにΔＴ１を加えた時間に相当することを示している。したがって、同図の例における１番目のテスト音と２番目のテスト音の収音間隔はＴ＋ΔＴ１である。ここで、ΔＴ１は、発音間隔と収音間隔との時間差であり、スマートフォン１からフロントレフトスピーカー３ａ（Ｌ）までの距離Ｌ１（直線距離）より、スマートフォン１からフロントセンタースピーカー３ｂ（Ｃ）までの距離Ｌ２（直線距離）が長いことを意味する（図１参照）。つまり、例えばΔＴ１が２msecの場合、２msec×１／１０００×３４０m/sec（音速）＝０．６８m＝６８cmだけ、距離Ｌ１より距離Ｌ２が長いと算出できる。なお、図１では、スマートフォン１の中心からスピーカー３ａ，３ｂの前面中央までの距離をＬ１，Ｌ２として示しているが、スマートフォン１については、マイクロフォン１２の搭載位置を基準としても良いし、スマートフォン１を所持した場合のユーザーの頭部推定位置を基準としても良い。また、スピーカー３ａ，３ｂの前面中央ではなく、スピーカー３ａ，３ｂの他の位置を基準としても良い。
【００５２】
なお、本実施形態では、スピーカー数が「６」であるため、ΔＴ１以外に、２番目のテスト音（Ｃ用）と３番目のテスト音（Ｒ用）の発音間隔と収音間隔との時間差ΔＴ２、３番目のテスト音（Ｒ用）と４番目のテスト音（ＳＲ用）の発音間隔と収音間隔との時間差ΔＴ３、４番目のテスト音（ＳＲ用）と５番目のテスト音（ＳＬ用）の発音間隔と収音間隔との時間差ΔＴ４、５番目のテスト音（ＳＬ用）と６番目のテスト音（ＳＷ用）の発音間隔と収音間隔との時間差ΔＴ５、６番目のテスト音（ＳＷ用）と７番目のテスト音（Ｌ用）の発音間隔と収音間隔との時間差ΔＴ６、を算出する。また、テスト音列を複数回繰り返し発音しているため、その複数回分の計測結果に基づいて（例えば、複数回の計測結果の平均値に基づいて）、ΔＴ１〜ΔＴ６を算出する。なお、時間差ΔＴｎはマイナスとなる場合もある。
【００５３】
スマートフォン１の調整情報生成部１６０は、解析部１５０の解析結果に基づいて、各スピーカー３ａ〜３ｆに供給する音声信号の遅延処理に用いる調整情報を生成する（情報生成ステップ）。具体的には、スマートフォン１からの距離Ｌｎが最も長いスピーカーを特定し、そのスピーカーに対応するチャンネルを基準とした場合の他の５つのチャンネルについてそれぞれ音声信号の遅延量を算出し、その算出結果を調整情報として生成する。例えば、６個のスピーカー３ａ〜３ｆのうち、スマートフォン１からの距離Ｌｎが最も長いスピーカー３が、Ｌチャンネル用のフロントレフトスピーカー３ａの場合、Ｃチャンネルに「ΔＴ１」だけ遅延させ、Ｒチャンネルに「ΔＴ１＋ΔＴ２」だけ遅延させ、ＳＲチャンネルに「ΔＴ１＋ΔＴ２＋ΔＴ３」だけ遅延させ、ＳＬチャンネルに「ΔＴ１＋ΔＴ２＋ΔＴ３＋ΔＴ４」だけ遅延させ、ＳＷチャンネルに「ΔＴ１＋ΔＴ２＋ΔＴ３＋ΔＴ４＋ΔＴ５」だけ遅延させるための調整情報を生成する。調整情報送信部１７０は、調整情報生成部１６０により生成された調整情報を、ＡＶアンプ装置２に送信する。なお、６個のスピーカー３ａ〜３ｆのうち、スマートフォン１からの距離Ｌｎが最も長いスピーカー３は、算出したΔＴ１〜ΔＴ６を利用して演算することで特定し得る。
【００５４】
ＡＶアンプ装置２の調整情報受信部２２０は、送信された調整情報を受信する。また、信号処理部２３０は、受信した調整情報に基づいて、各スピーカー３ａ〜３ｆに供給する音声信号の遅延処理を行う（信号処理ステップ）。例えば、上記のように、スピーカー３ａ（Ｌ用）がスマートフォン１から最も離れている場合、他のスピーカー３ｂ，３ｃ，３ｄ，３ｅ，３ｆに対応するチャンネルに対して遅延処理を行う。
【００５５】
次に、図７のフローチャートを参照し、音場制御を行う際のスマートフォン１の処理の流れを説明する。スマートフォン１は、タッチパネル１１に対する自動測定開始操作に基づき、録音を開始する（Ｓ０１）。その後、テスト信号列の発音指令（テスト信号列＋制御信号）をＡＶアンプ装置２に送信し（Ｓ０２）、ＡＶアンプ装置２からテスト信号列の発音開始信号を受信する（Ｓ０３）。スマートフォン１は、当該発音開始信号の受信から所定時間経過後、録音を停止する（Ｓ０４）。なお、Ｓ０１で録音を開始するのではなく、発音開始信号を受信した後、録音を開始する構成としても良い。また、Ｓ０１の自動測定開始操作を、ＡＶアンプ装置２に対して行い、その操作信号をＡＶアンプ装置２からスマートフォン１に送信する構成でも良い。
【００５６】
スマートフォン１は、録音終了後、バックグラウンド（背景雑音）を測定し（Ｓ０５）、テスト音検出の閾値を決定する（Ｓ０６）。この閾値に基づいて、各テスト音の収音タイミングを検出し、全スピーカーを対象として発音間隔と収音間隔の時間差を算出する（Ｓ０７）。その後スマートフォン１は、当該時間差に基づいて調整情報を生成し（Ｓ０８）、当該調整情報をＡＶアンプ装置２に送信する（Ｓ０９）。なお、図示は省略するが、この後ＡＶアンプ装置２は、調整情報に基づいて音声信号の遅延処理（ＤＳＰ２２による各チャンネルの遅延量設定）を行い、当該遅延処理の終了後、スマートフォン１に対し処理終了を示す信号を送信する。スマートフォン１は、当該信号の受信により、音場制御に係る一連の処理を終了する。
【００５７】
以上説明したとおり、本実施形態の音場制御システムＳＹは、テスト信号列の発音タイミングを示す情報と、各テスト音の収音タイミングと、を比較して、各テスト音の発音タイミングと収音タイミングの時間差を算出し、当該時間差に基づいて各スピーカー３ａ〜３ｆに供給する音声信号の遅延処理を行うため、テスト音の発音指令から発音までの時間が未知の場合でも、正確な音場制御を行うことができる。言い換えれば、ＡＶアンプ装置２にマイクロフォンを付属せずとも、手軽なスマートフォン１を用いて、正確な音場制御を実現することができる。
【００５８】
また、スマートフォン１からＡＶアンプ装置２への発音指令は、１回の無線通信でテスト信号列（全テスト音）の発音指令を行うため、無線通信５の通信環境が安定していない場合でも、正確な音場制御を実現できる。つまり、テスト信号ごとに発音指令を行った場合であって通信環境が不安定な場合、発音指令から発音までの時間が一定とならず、各スピーカー３ａ〜３ｆからスマートフォン１（マイクロフォン１２）までの距離差を正確に測定することができないが、本実施形態では１回の無線通信により全テスト音の発音指令を行うため、そのような不具合がない。
【００５９】
なお、上記の実施形態によらず、以下の変形例を採用可能である。
［変形例１］
上記の実施形態では、発音部２１０によりテスト音を一定の間隔で発音させたが、発音するスピーカーの特性に応じた発音間隔で発音させても良い。図８は、変形例１に係るテスト信号列の一例を示す図である。同図の例では、サブウーファー３ｆ（ＳＷ）とフロントレフトスピーカー３ａ（Ｌ）の間の発音間隔（Ｔ６）を、他の発音間隔（Ｔ１〜Ｔ５）よりも広く設定している。このように、残響の多い音を発音するサブウーファー３ｆ（ＳＷ）については、次のテスト音の発音タイミングまでの間隔を広く設定することで、次のテスト音の収音タイミングを正確に検出することができ、ひいては、より正確な音場制御を実現できる。
【００６０】
なお、さらなる変形例として、同図に示すＴ１〜Ｔ５の発音間隔につても、一定の間隔ではなく、異なる間隔としても良い。また、拍子（三拍子や四拍子など）や所定のリズム（「○○曲の１小節目のリズム」など）に合わせた発音タイミングでテスト音を発音させることで、音場制御中であることをユーザーに知らせることができ、且つユーザーを退屈させることがない。なお、「発音タイミング」を拍子やリズムで規定する場合は、その全体または一部（１小節分など）の時間長についても規定しておく必要がある。つまり、テスト音の発音間隔を特定可能な情報を付加しておく必要がある。
【００６１】
［変形例２］
上記の実施形態では、スマートフォン１にテスト信号記憶部１１０を備えたが、ＡＶアンプ装置２に備えても良い。この場合、スマートフォン１の発音指令部１２０は、発音指令のみを行い、ＡＶアンプ装置２の発音部２１０は、予め記憶されているテスト信号列に基づいてスピーカー群３にテスト音を発音させる。また、スマートフォン１は、接続確立時または発音指令時にＡＶアンプ装置２からテスト信号列を取得し、解析部１５０により、取得したテスト信号列の発音タイミングを示す情報と、収音部１３０により収音された各テスト音の収音タイミングと、を比較する。
【００６２】
なお、さらなる変形例として、スマートフォン１とＡＶアンプ装置２の両方にテスト信号記憶部１１０を備えても良い。この場合、スマートフォン１は、ＡＶアンプ装置２からのテスト信号列の取得は不要であり、接続されたＡＶアンプ装置２の機種やスピーカー数を判定し、その判定結果に基づいて接続されたＡＶアンプ装置２用のテスト信号列をテスト信号記憶部１１０から読み出して、解析部１５０による解析を行えば良い。
【００６３】
［変形例３］
上記の実施形態では、調整情報生成部１６０をスマートフォン１内に備えたが（図３参照）、これをＡＶアンプ装置２内に備えても良い。この場合、スマートフォン１は、解析部１５０の解析結果（時間差ΔＴ１〜ΔＴ６）をＡＶアンプ装置２に送信すれば良い。また、さらなる変形例として、ＡＶアンプ装置２において調整情報を生成するのではなく、解析部１５０の解析結果から、直接信号処理部２３０による遅延処理を行っても良い。
【００６４】
［変形例４］
また、解析部１５０および調整情報生成部１６０をＡＶアンプ装置２内に備えても良い。この場合、スマートフォン１は、収音部１３０による各テスト音の収音タイミングを示す収音情報をＡＶアンプ装置２に送信する。また、ＡＶアンプ装置２は、当該収音情報を受信し（収音情報受信部、収音情報受信ステップ）、解析部１５０により、テスト信号列の発音タイミングを示す情報と、収音情報から得られる各テスト音の収音タイミングと、を比較して、各テスト音の発音タイミングと収音タイミングの時間差を算出する。なお、スマートフォン１は、収音情報として、録音部１４０により録音された録音波形を送信しても良い。
【００６５】
［変形例５］
上記の実施形態では、解析部１５０により、ｎ番目に発音されるテスト音とｎ＋１番目に発音されるテスト音との発音間隔と、ｎ番目に発音されたテスト音とｎ＋１番目に発音されたテスト音との収音間隔との時間差を、スピーカーの数だけ算出したが（ΔＴ１〜ΔＴ６）、ｎ番目に発音されるテスト音とｍ番目（但し、ｍはｍ＞ｎ＋１となる整数）番目に発音されるテスト音との発音間隔と、ｎ番目に発音されたテスト音とｍ番目に発音されたテスト音との収音間隔との時間差を算出しても良い（ｍ≠ｎ＋１でも良い）。また、さらなる変形例として、発音間隔および収音間隔を求めるのではなく、単にテスト信号列の発音タイミングを示す情報と、各テスト音の収音タイミングと、を比較し、所定のアルゴリズムに基づいて、各テスト音の発音タイミングと収音タイミングの時間差を算出しても良い。
【００６６】
［変形例６］
上記の実施形態では、ｎ番目に発音されたテスト音とｎ＋１番目に発音されたテスト音との収音間隔（Ｔ＋ΔＴｎ）から時間差ΔＴｎを求め、当該時間差ΔＴｎから各チャンネルの遅延量を算出したが（図６参照）、図９に示すように、最初に発音されたテスト音の収音タイミング（同図の例では、Ｌチャンネルの収音タイミング）から所定時間遡った時点を基準として、任意のテスト音に対応する基準チャンネルからの遅延量を算出しても良い。本例は、テスト音を一定の間隔Ｔで発音することを前提としている。また、同図では、任意のテスト音の収音タイミングからＴ／２だけ遡った時点（ｔａ）を基準とし、一定の間隔Ｔごとに分割区間を設定したときの各分割区間の開始点を、ｔａ〜ｔｆとして示している。この場合、ｔｂから２番目のテスト音（Ｃ用）の収音タイミングまでの時間長Ｔｂは、「Ｔｂ＝Ｔ／２+ΔＴｂ」と表すことができる。同様に、ｔｃから３番目のテスト音（Ｒ用）の収音タイミングまでの時間長Ｔｃは、「Ｔｃ＝Ｔ／２+ΔＴｃ」、ｔｄから４番目のテスト音（ＳＲ用）の収音タイミングまでの時間長Ｔｄは、「Ｔｄ＝Ｔ／２+ΔＴｄ」、ｔｅから５番目のテスト音（ＳＬ用）の収音タイミングまでの時間長Ｔｅは、「Ｔｅ＝Ｔ／２+ΔＴｅ」、ｔｆから６番目のテスト音（ＳＷ用）の収音タイミングまでの時間長Ｔｆは「Ｔｆ＝Ｔ／２+ΔＴｆ」と表すことができる。なお、ΔＴｂ〜ΔＴｆはマイナスとなる場合もある。この場合、調整情報生成部１６０は、各分割区間の開始点から各テスト音の収音タイミングまでの時間長と所定時間（Ｔ／２）との時間差に基づいて、調整情報を生成する。つまり、Ｌチャンネルに対し、Ｃチャンネルを−ΔＴｂだけ遅延させ（ΔＴｂだけ早め）、Ｒチャンネルを−ΔＴｃだけ遅延させ、ＳＲチャンネルを−ΔＴｄだけ遅延させ、ＳＬチャンネルを−ΔＴｅだけ遅延させ、ＳＷチャンネルを−ΔＴｆだけ遅延させるための調整情報を生成する。但し、スマートフォン１からの距離Ｌｎが最も長いスピーカーがＬチャンネル用のスピーカー３ａではない場合は、スマートフォン１からの距離Ｌｎが最も長いスピーカーを特定し、そのスピーカーに対応するチャンネルを基準とした場合の他の５つのチャンネルについてそれぞれ遅延量を算出し、その算出結果を調整情報として生成する。
このように、任意のテスト音の収音タイミング（ｔ１）から所定時間遡った時点を基準とし、任意のテスト音に対応する基準チャンネルから、他チャンネルの遅延量を算出することで、間隔Ｔの中で時間差を算出することができる。つまり、ｔａ〜ｔｂ、ｔｂ〜ｔｃと、分割区間ごとに収音タイミングｔ１、ｔ２を探していけば良いため、小さいワークエリアでも時間差を算出することができる。また、テスト音の収音間隔（Ｔ＋ΔＴｎ）から時間差ΔＴｎを求めてチャンネル間の遅延量を算出するのではなく、基準チャンネル（本例では、Ｌチャンネル）からの遅延量を算出するため、調整情報の生成が容易である。
なお、所定時間は、必ずしもＴ／２ではなく、Ｔ／３、Ｔ／４など、発音間隔Ｔに所定値を乗算した値でも良いし、発音間隔Ｔに関係なく、予め定められた規定値であっても良い。また、最初に発音されたテスト音の収音タイミングから所定時間遡った時点を基準とするのではなく、２番目以降に発音されたテスト音の収音タイミングから所定時間遡った時点を基準としても良い。
【００６７】
［第２実施形態］
次に、図１０を参照し、本発明の第２実施形態について説明する。上記の第１実施形態では、音声信号の遅延処理を行うための調整情報を生成したが、本実施形態では、ユーザーに対し各スピーカー３ａ〜３ｆの位置を調整させるための音場制御情報を生成する。以下、第１実施形態と異なる点のみ説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【００６８】
図１０は、第２実施形態に係るスマートフォン１およびＡＶアンプ装置２の機能構成を示す機能ブロック図である。スマートフォン１は、第１実施形態の機能構成（図３参照）と比較して、調整情報生成部１６０および調整情報送信部１７０を省略し、音場制御情報生成部１８０（情報生成部）および音場制御情報出力部１９０を追加した構成である。なお、スマートフォン１の各部１１０〜１５０，１６０，１７０は、第１実施形態と同様に、スマートフォン用アプリケーションである音場制御アプリケーションによって実現される。一方、ＡＶアンプ装置２は、第１実施形態の機能構成と比較して、調整情報受信部２２０および信号処理部２３０を省略した構成である。
【００６９】
音場制御情報生成部１８０は、解析部１５０により算出された各テスト音の発音タイミングと収音タイミングとの時間差（時間差ΔＴ１〜ΔＴ６）に基づいて、各スピーカー３ａ〜３ｆからスマートフォン１（マイクロフォン１２）までの距離を一致させる命令である音場制御情報を生成する（音場制御情報生成ステップ，情報生成ステップ）。本実施形態では、音場制御情報として、ユーザーに対し、各スピーカー３ａ〜３ｆの位置を調整させるためのメッセージを生成する。例えば、「フロントレフトスピーカーをスマートフォン側に５０cm、フロントセンタースピーカー側に３０cm近づけてください」など、移動対象となるスピーカーと、移動量と、移動方向と、を示す情報を生成する。なお、ユーザーへのメッセージは、「フロントレフトスピーカーを少し（ユーザーに）近づけてください」などの抽象的なものでも良い。
【００７０】
音場制御情報出力部１９０は、音場制御情報生成部１８０により生成された音場制御情報を出力する（音場制御情報出力ステップ）。本実施形態では、出力方法として、上記のメッセージをタッチパネル１１に表示する。なお、表示に代えて、音声案内や、電子メール等の通信手段によりメッセージを出力しても良い。
【００７１】
以上説明したとおり、第２実施形態によれば、ユーザーに対してスピーカー位置を調整させる構成であるため、ＡＶアンプ装置２による音声信号の遅延処理を省略でき、ＡＶアンプ装置２の制御負荷の軽減および低廉化を図ることができる。
【００７２】
第２実施形態では、以下の変形例を採用可能である。
［変形例１］
スピーカーが自走可能な場合、「音場制御情報」として、各スピーカー３ａ〜３ｆに対する制御信号を出力しても良い。この場合、音場制御情報生成部１８０は、「音場制御情報」として、移動対象となるスピーカーと、移動量と、移動方向と、を示す制御信号を生成する。また、音場制御情報出力部１９０は、各スピーカー３ａ〜３ｆに対して音場制御情報を出力する。各スピーカー３ａ〜３ｆは、取得した音場制御情報に基づいて、不図示の自走手段により移動する。この構成によれば、ユーザーの手を煩わせることなく、各スピーカー３ａ〜３ｆからスマートフォン１（マイクロフォン１２）までの距離を一致させることができる。
【００７３】
以上、２つの実施形態および各種変形例を示したが、これらに示した音場制御システムＳＹ（スマートフォン１、ＡＶアンプ装置２）の各構成要素をプログラムとして提供しても良い。また、そのプログラムを各種記録媒体（ＣＤ−ＲＯＭ、フラッシュメモリー等）に格納して提供しても良い。すなわち、コンピューターをスマートフォン１またはＡＶアンプ装置２の各構成要素として機能させるためのプログラム（実施形態中における、音場制御アプリケーションを含む）、およびそれを記録したコンピューター読み取り可能な記録媒体も、本発明の権利範囲に含まれる。その他、本発明の要旨を逸脱しない範囲で、適宜変更が可能である。
【符号の説明】
【００７４】
１：スマートフォン  ２：ＡＶアンプ装置  ３：スピーカー群  １２：マイクロフォン  １１０：テスト信号記憶部  １２０：発音指令部  １３０：収音部  １４０：録音部  １５０：解析部  １６０：調整情報生成部  １７０：調整情報送信部  １８０：音場制御情報生成部  １９０：音場制御情報出力部  ２１０：発音部  ２２０：調整情報受信部  ２３０：信号処理部  ＳＹ：音場制御システム  Ｔ：発音間隔  ΔＴｎ：時間差
【図１】
0006493245.tif 000002
【図２】
0006493245.tif 000003
【図３】
0006493245.tif 000004
【図４】
0006493245.tif 000005
【図５】
0006493245.tif 000006
【図６】
0006493245.tif 000007
【図７】
0006493245.tif 000008
【図８】
0006493245.tif 000009
【図９】
0006493245.tif 000010
【図１０】
0006493245.tif 000011